(57)【要約】【課題】トレンド画面や他のウインドウを移動させることなく、操作ボタンを探す手間が省けるプラント監視画面表示装置を提供する。【解決手段】表示画面１中に監視対象パラメータを表示しているトレンド画面２と、監視対象パラメータの操作を行うための操作ボタン３と、他の関係がない画面とが表示されている場合、表示画面１上の指の接触位置を示すポインタ７がトレンド画面２上に一定時間あった場合、操作ボタン３の大きさが入る空きエリア４を算出し、操作ボタン３を空きエリア４に移動させるようにする。【選択図】図２
2015166953.tif 000002
【特許請求の範囲】
【請求項１】
プラントを監視、操作するための画面を表示するプラント監視画面表示装置であって、監視対象パラメータを表示しているトレンド画面と、上記監視対象パラメータの操作を行うための操作ボタンと、１以上の監視パラメータ画面とが表示画面中に表示されている状態で、上記表示画面上のポインタが上記トレンド画面上に一定時間あった場合、上記操作ボタンの大きさが入る空きエリアを算出し、上記操作ボタンを上記空きエリアに移動させる管理制御部を設けたことを特徴とするプラント監視画面表示装置。
【請求項２】
上記操作ボタンが複数ある場合、複数の上記操作ボタンを上記空きエリアに移動させることを特徴とする請求項１記載のプラント監視画面表示装置。
【請求項３】
上記空きエリアの大きさが上記操作ボタンの大きさよりも小さい場合、上記操作ボタンの大きさを縮小させることを特徴とする請求項１又は請求項２記載のプラント監視画面表示装置。
【請求項４】
上記監視対象パラメータに直接関係がない上記監視パラメータ画面を移動させることにより上記空きエリアを作成することを特徴とする請求項１から請求項３のいずれか１項に記載のプラント監視画面表示装置。
【請求項５】
上記空きエリアを予め設定し、上記空きエリアには上記操作ボタンのみを表示させるようにしたことを特徴とする請求項１から請求項４のいずれか１項に記載のプラント監視画面表示装置。
【請求項６】
上記表示画面を複数設け、上記複数の表示画面で１つの表示画面を構成するようにしたことを特徴とする請求項１から請求項５のいずれか１項に記載のプラント監視画面表示装置。
【発明の詳細な説明】
【技術分野】
【０００１】
この発明は、複数のウインドウが表示されている状態で、監視しているパラメータに関するウインドウに隠れたボタン操作を行うことができるプラント監視画面表示装置に関するものである。
【背景技術】
【０００２】
従来のプラント監視画面表示装置においては、複数のウインドウが重なりあって表示する状態で、ある特定のウインドウは、重なったウインドウの中で、ある特定の位置に置かれたり、ある特定のウインドウは、常に最背面に置かれるようにしたものがあった（特許文献１参照）。
【先行技術文献】
【特許文献】
【０００３】
【特許文献１】特開２００８−２８７５４７
【発明の概要】
【発明が解決しようとする課題】
【０００４】
上記特許文献１においては、画面の重なっている場合にその前後をいれかえて配置することができるが、ウインドウ全体は移動させない。そのためウインドウの表示方法によっては別のウインドウが重なる可能性があり、その場合は新たな操作を追加することが必要となってしまう。従って余計な作業が発生するため、緊急時などに対応できないという問題があった。
【０００５】
また、ウインドウが重ならないように並べた場合でも、監視内容によっては複数のパラメータを同時に監視する必要があり、それぞれ重ならないようにユーザーが意図的にウインドウの配置を行う手間が必要となってしまう。従って操作性を煩雑にしてしまうという問題があった。
【０００６】
この発明は上記のような課題を解決するためになされたものであり、トレンド画面を常に監視しながら、関連操作を行うことができ、操作ボタンを探す手間が省け、更にはトレンド画面や他のウインドウを移動させる必要も無く、操作性の高いプラント監視画面表示装置を提供することを目的とするものである。
【課題を解決するための手段】
【０００７】
この発明に係るプラント監視画面表示装置は、プラントを監視、操作するための画面を表示するものであって、監視対象パラメータを表示しているトレンド画面と、監視対象パラメータの操作を行うための操作ボタンと、１以上の監視パラメータ画面とが表示画面中に表示されている状態で、表示画面上のポインタがトレンド画面上に一定時間あった場合、操作ボタンの大きさが入る空きエリアを算出し、操作ボタンを空きエリアに移動させる管理制御部を設けたものである。
【発明の効果】
【０００８】
上記のように構成されたプラント監視画面表示装置においては、監視しているトレンド画面をそのままの状態にして、関連する操作ボタンを空きエリアに移動させることができる。従ってトレンド画面を常に監視しながら、関連操作を行うことができ、操作ボタンを探す手間が省ける。更にはトレンド画面や他のウインドウを移動させる必要も無く、操作性の高いプラント監視画面表示装置を提供することができる。
【図面の簡単な説明】
【０００９】
【図１】実施の形態１によるプラント監視画面表示装置全体の構成を示す概略図である。
【図２】実施の形態１によるプラント監視画面表示装置における表示画面を示す図である。
【図３】各属性を示す表である。
【図４】実施の形態１によるプラント監視画面表示装置の動作を示すフローチャートである。
【図５】実施の形態１によるプラント監視画面表示装置における表示画面を示す図である。
【図６】実施の形態２によるプラント監視画面表示装置における表示画面を示す図である。
【図７】ウインドウ等の属性を示す表である。
【図８】実施の形態２によるプラント監視画面表示装置の動作を示すフローチャートである。
【図９】実施の形態２によるプラント監視画面表示装置における表示画面を示す図である。
【図１０】実施の形態３によるプラント監視画面表示装置における表示画面を示す図である。
【図１１】操作ボタンが持つ属性を示す表である。
【図１２】実施の形態３によるプラント監視画面表示装置の動作を示すフローチャートである。
【図１３】実施の形態４によるプラント監視画面表示装置における表示画面を示す図である。
【図１４】実施の形態４によるプラント監視画面表示装置の動作を示すフローチャートである。
【図１５】ウインドウが持つ属性を示す表である。
【図１６】実施の形態５によるプラント監視画面表示装置における表示画面を示す図である。
【図１７】実施の形態６によるプラント監視画面表示装置における表示画面を示す図である。
【発明を実施するための形態】
【００１０】
実施の形態１．
以下、一実施形態を図に基づいて説明する。図１はプラント監視画面表示装置全体の構成を示す概略図である。プラント監視画面表示装置１００は表示部１０１、管理制御部１０２、入出力部１０３から成るものであり、プラントを監視、操作するための様々な画面を表示するものである。表示部１０１はプラントの監視画面やトレンド等を表示する。入出力部１０３はタッチパネルとの情報のやり取りを行う。管理制御部１０２は入出力部１０３におけるデータや、表示部１０１に表示される画面およびその位置、更には表示部１０１に表示されているウインドウの状態や属性値を管理するものであり、更には管理制御部１０２は属性値の検索やウインドウの移動を制御するものである。入出力部１０３はタッチパネルからのＯＮ、ＯＦＦの状態に加えて、指がタッチパネルに触れなくても近接したときに近接の状態を検知できる機構を備えている。
【００１１】
図２は実施の形態１によるプラント監視画面表示装置における表示画面を示す図であり、図２において、表示画面１の中に複数のウインドウ画面が表示されている。即ち監視および操作を行おうとしているパラメータのトレンド画面２、及び別の監視パラメータ画面５、６が表示されている。監視しているパラメータに対して操作を行うための操作ボタン３が一部隠れた状態で表示されており、操作ボタン３によって、監視対象パラメータの値の変更を行う。ポインタ７はタッチパネル上の指の位置、あるいはマウスによって操作する場合はマウスによって指示された位置を示している。本実施形態においては表示画面１がタッチパネルで構成されており、表示画面１上で指による接触、あるいはマウス操作により操作される。
【００１２】
監視パラメータが表示されているトレンド画面２は図３（Ａ）に示すように、表示属性Ｐ１、監視操作パラメータＰ２、操作部品番号ＩＤＰ３の属性をもっている。又操作ボタン３は、図３（Ｂ）に示すように、ＩＤＰ４、監視操作パラメータＰ５、ボタンの大きさＰ６の属性を持っている。図３（Ｃ）は別の操作ボタンが持つ属性を示す表である。
【００１３】
次に動作について図４に示したフローチャートに従って説明する。複数のウインドウが表示されている表示画面１に、新しくＡＢＣＤＥに関するパラメータのトレンドを監視するためトレンド画面２を表示させる（ＳＴＥＰ３００）。トレンド画面２が新たに表示された場合、新しく表示されたトレンド画面２が保持している属性を検索して、表示されている監視パラメータに関連する操作ボタン３が関連付けられているかどうかを操作部品番号ＩＤに基づいて検索する（ＳＴＥＰ３０１）。
【００１４】
操作部品番号ＩＤＰ３がなかった場合は、操作に関連付けられていないとして処理は終了される（ＳＴＥＰ３０３）。操作部品番号ＩＤＰ３があった場合、今度は操作ボタンの属性からトレンド画面２の操作部品番号ＩＤＰ３と同じＩＤＰ４を持つ操作ボタン３を検索する（ＳＴＥＰ３０４）。同じＩＤＰ４を持っている操作ボタン３が見つかれば、今度は操作ボタン３が表示画面１に表示されているかを検索する（ＳＴＥＰ３０５）。操作ボタン３が表示画面１に表示されていない場合、処理は終了する（ＳＴＥＰ３０３）。
【００１５】
操作ボタン３が表示画面１に表示されていた場合、操作ボタン３の属性からボタンの大きさＰ６を取得する（ＳＴＥＰ３０６）。管理制御部１０２は取得したボタンの大きさＰ６をもとに表示画面１を検索して、そのボタンの大きさＰ６が入る矩形の空きエリア４を算出する（ＳＴＥＰ３０７）。管理制御部１０２はポインタ７がトレンド画面２に一定時間あった場合に、最初に表示されていた操作ボタン３を消去し、算出した空きエリア４に操作ボタン３を表示する（ＳＴＥＰ３０８）。以上の動作によって、図５に示されるようにトレンド画面２の背後に隠れていた操作ボタン３が、空きエリア４に移動する。
【００１６】
操作ボタン３の移動条件として、ポインタ７がトレンド画面２に一定時間あった場合としているが、この判断は指が接触せずに離れている場合でも検知可能なタッチパネルの情報を利用することができる。即ちトレンド画面２に対して、近接を検知できる距離（例えばタッチパネルから１ｃｍ離れた状態）に指などがあり、接触していない状態が一定時間あった場合にトレンド画面２に関連する操作を行うと判断し、操作ボタン３の移動を行うことができる。
【００１７】
このように実施の形態１では、監視しているトレンド画面２をそのままの状態にして、関連する操作ボタン３を空きエリア４に移動させたものである。従ってトレンド画面２を常に監視しながら関連操作を行うことができ、操作ボタン３を探す手間が省ける。更にはトレンド画面２や他のウインドウ５、６を移動させる必要も無く、操作性の高いプラント監視画面表示装置を得ることが出来る。
また、タッチパネルの近接検知以外にも、タッチパネルの長押しの状態や、押し込みといった操作を入出力部１０３に加えることもできる。これにより操作の内容に応じてたとえば、長押しの状態であれば、操作ボタン３を空きエリア４の一番右下に移動させるというようなより細かな制御を行うこともできる。
【００１８】
実施の形態２．
図６は実施の形態２によるプラント監視画面表示装置における表示画面を示す図、図７（Ａ）、（Ｂ）、（Ｃ）はウインドウ等の属性を示す表である。上記実施の形態１では、図２に示すように一つの操作ボタン３が空きエリア４に移動する場合について述べたが、実施の形態２においては、図６、図７で示すように、トレンド画面ウインドウ１０に表示されているパラメータが複数の操作ボタン３、操作ボタン８に関わる場合について説明する。図７（Ａ）に示すようにトレンド画面ウインドウ１０が持つ属性として、操作部品番号ＩＤを複数定義（図７（Ａ）では１０１０、１０２０）することで、操作ボタン３、操作ボタン８をまとめて空きエリア４に移動させることができるようになる。尚図７（Ｂ）は操作ボタン３が持つ属性、図７（Ｃ）は操作ボタン８が持つ属性を示す表である。
【００１９】
次に動作について図８に示すフローチャートに基づいて説明する。操作ボタン３の移動については実施の形態１と同じであり、図７のトレンド画面ウインドウ１０の属性である操作部品番号ＩＤ１０１０に対して同様の処理を行う（ＳＴＥＰ３００〜３０８）。その後トレンド画面ウインドウ１０属性である操作部品番号ＩＤをさらに検索して、未処理の操作部品番号ＩＤがあった場合（図７では操作部品番号ＩＤ１０２０が該当）（ＳＴＥＰ７００）、ＩＤ１０２０をもつ操作ボタン８の属性から大きさを取得して、空きエリア４の操作ボタン３が配置されている隣に操作ボタン８を移動させる（ＳＴＥＰ７０１）。以上の動作をトレンド画面ウインドウ１０がもつ操作部品番号ＩＤすべてに対して行う。
【００２０】
以上の動作により、図９に示すように空きエリア４に操作ボタン３、操作ボタン８が移動される。これにより、監視操作対象のパラメータのボタン操作を行うときに、複数のボタン操作が必要な場合、検索の手間を省くことができ、操作性が向上する。尚上記説明においては、操作ボタンが２つの場合について説明したが、３つ以上の複数ある場合でも適用させることができる。
【００２１】
実施の形態３．
図１０は実施の形態３によるプラント監視画面表示装置における表示画面を示す図、図１１は操作ボタンが持つ属性を示す表、図１２は動作を示すフローチャートである。上記実施の形態１、２では、表示画面の空きエリアが、移動対象となる操作ボタンのエリアよりも十分に大きい場合について述べたが、本実施形態においては、図１１に示すように、操作ボタン３の属性として、縮小可能かどうかを示すフラグと、縮小可能であった場合の最低の大きさを定義したものである。そして図１２に示すように、図４のフローチャートにおけるＳＴＥＰ３０７とＳＴＥＰ３０８との間に、空きエリアの大きさに合わせるように操作ボタンの大きさを縮小させる処理を追加するものである。
【００２２】
これにより空きエリア４の大きさが操作ボタン３の大きさに比べて小さかった場合でも、空きエリア４の大きさにあわせて操作ボタン３の大きさを縮小して表示させることが可能となる。更には表示画面上にウインドウが複数あっても、ウインドウを移動する必要が無く、ウインドウ画面の配置や構成が変化せずに前と同じ状態のため、操作者は見やすくなるという効果がある。尚操作ボタンが複数ある実施の形態２においても、本実施形態３の動作を適用することができる。
【００２３】
実施の形態４．
図１３は実施の形態４によるプラント監視画面表示装置における表示画面を示す図である。上記実施形態１〜３では、表示画面全体に空きエリアが確保できる場合について述べたが、図１３に示すように操作ボタン領域を確保するための空きエリアがほとんどなく、操作ボタンを小さくしても操作できないような場合もある。このような場合に、図１４のフローチャートに示すように、現在表示されているウインドウを検索して移動させる手段を設けることもできる。
【００２４】
即ち図１４において、操作ボタンが持つ属性における大きさをもとに表示画面を検索し、大きさが収まる空きエリアの矩形を算出する（ＳＴＥＰ１４０１）。算出した結果操作ボタンの大きさが収まる空きエリアがないと判断されると（ＳＴＥＰ１４０２）、現在表示されているウインドウのうち移動可の属性をもつウインドウを検索する（ＳＴＥＰ１４０３）。次に移動可能な属性をもつウインドウの現在表示位置を検索する（ＳＴＥＰ１４０４）。次に操作ボタンを表示するのに必要な空きエリアの大きさと、移動可能な属性をもつウインドウの位置情報から必要な移動サイズを算出する（ＳＴＥＰ１４０５）。次に移動可能な属性をもつウインドウを移動する（ＳＴＥＰ１４０６）。
【００２５】
図１３においては、監視パラメータに直接関係の無いウインドウ５を上方向にずらすことにより操作ボタン３が表示できるスペースを確保するよう動作する。図１５はウインドウ５が持つ属性を示す表である。このように空きエリアがないような場合でも、空きエリアを作成して操作ボタン３を移動させることができる。従って操作性の効率化を図ることが出来る。尚本実施形態の動作は上記実施形態２、３の動作と組み合わせて行うこともできる。
【００２６】
実施の形態５．
図１６は実施の形態５によるプラント監視画面表示装置における表示画面を示す図である。上記実施の形態１〜４では、監視パラメータを表示するウインドウを表示画面上に自由に配置できる場合について説明した。本実施形態においては、図１６に示すようにボタン操作を行うことを考慮して、表示画面上にあらかじめ空きエリア４ａを設定し、空きエリア４ａにはウインドウが表示できず操作ボタンのみを表示させるようにすることにより、空きエリア４ａを確実に確保するようにしたものである。
【００２７】
これにより、ウインドウが複数あり表示画面全体に配置されていた場合、ユーザーが予め空きエリアを確保するという動作を省略でき、操作の利便性が図れる。また空きエリアの枠のみを指定することもできる。即ちウインドウは空きエリアにも表示可能であるが、操作ボタンは必ず空きエリアの枠内においては、最上位に配置されるようにすることができる。これにより操作の利便性が図れる。尚本実施形態の動作は上記実施形態２、３、４の動作と組み合わせて行うこともできる。
【００２８】
実施の形態６．
図１７は実施の形態６によるプラント監視画面表示装置における表示画面を示す図である。上記実施の形態１〜５では、表示画面が一つの場合について述べた。これに対し本実施形態においては、図１７に示すように、表示画面１と表示画面１２の複数の表示画面で一つの表示画面を構成するようにしたものである。これにより表示の拡張性を向上させることができる。又本実施形態の動作は上記実施形態１〜５の少なくともいずれか１つの形態と組み合わせることもできる。
尚本発明は、その発明の範囲内において、各実施の形態を自由に組み合わせたり、各実施の形態を適宜、変形、省略したりすることが可能である。
【符号の説明】
【００２９】
１  表示画面、２  トレンド画面、３  操作ボタン、４  空きエリア、
５，６  監視パラメータ画面、７  ポインタ、１０２  管理制御部。
【図１】
2015166953.tif 000003
【図２】
2015166953.tif 000004
【図３】
2015166953.tif 000005
【図４】
2015166953.tif 000006
【図５】
2015166953.tif 000007
【図６】
2015166953.tif 000008
【図７】
2015166953.tif 000009
【図８】
2015166953.tif 000010
【図９】
2015166953.tif 000011
【図１０】
2015166953.tif 000012
【図１１】
2015166953.tif 000013
【図１２】
2015166953.tif 000014
【図１３】
2015166953.tif 000015
【図１４】
2015166953.tif 000016
【図１５】
2015166953.tif 000017
【図１６】
2015166953.tif 000018
【図１７】
2015166953.tif 000019